(57)【特許請求の範囲】
【請求項１】
前一輪及び後二輪で何れか一方の後輪の車輪ハブが回転駆動される三輪自転車において、回転駆動される前記車輪ハブを回転自在かつ軸方向移動不能に支持する出力側ハブ軸がその一端部にてフレームに一体的に組付けられ、この出力側ハブ軸の他端部に一端部にてトルク伝達可能かつ軸方向にて抜き差し可能に連結される入力側ハブ軸の他端部が前記フレームに一体的に組付けられ、ペダル操作力が入力される後ギヤ板とこの後ギヤ板の回転に伴って回転して変速装置によって変速される変速ハブが前記入力側ハブ軸上にそれぞれ回転自在かつ軸方向移動不能に組付けられ、前記変速ハブが前記車輪ハブに一体回転可能に連結した主軸パイプにトルク伝達可能かつ軸方向にて抜き差し可能に連結される構成としたことを特徴とする三輪自転車。
【請求項２】
前記変速装置を前記変速ハブ内に組付けられる内装変速装置とし、前記入力側ハブ軸上に一体的に組付けた変速モーターユニットによって前記内装変速装置が車輪の回転速度に応じて自動的に変速操作されるように構成したことを特徴とする請求項１記載の三輪自転車。
【発明の詳細な説明】
【０００１】
【発明の属する技術分野】
本発明は、前一輪及び後二輪で何れか一方の後輪の車輪ハブが回転駆動される三輪自転車に関する。
【０００２】
【従来の技術】
この種の三輪自転車においては、回転駆動される後輪のハブ軸がその両端部にてフレームに一体的に組付けられ、このハブ軸上にペダル操作力が入力される後ギヤ板とこの後ギヤ板に主軸パイプを介して一体回転可能に連結した車輪ハブが回転自在かつ軸方向移動不能に組付けられている。
【０００３】
【発明が解決しようとする課題】
上記した従来の三輪自転車においては、長尺のハブ軸（左右一対の後輪の何れか一方から左右後輪の中間部位にまで延びる軸）に後ギヤ板、主軸パイプ、車輪ハブ等が組付けられており、これに変速装置を装着して駆動系をユニット化すると当該ユニットが大重量となって、当該ユニットの保守・点検・交換が容易に行えないことがある。
【０００４】
【課題を解決するための手段】
本発明は、上記した問題に対処すべくなされたものであり、前一輪及び後二輪で何れか一方の後輪の車輪ハブが回転駆動される三輪自転車において、回転駆動される前記車輪ハブを回転自在かつ軸方向移動不能に支持する出力側ハブ軸がその一端部にてフレームに一体的に組付けられ、この出力側ハブ軸の他端部に一端部にてトルク伝達可能かつ軸方向にて抜き差し可能に連結される入力側ハブ軸の他端部が前記フレームに一体的に組付けられ、ペダル操作力が入力される後ギヤ板とこの後ギヤ板の回転に伴って回転して変速装置によって変速される変速ハブが前記入力側ハブ軸上にそれぞれ回転自在かつ軸方向移動不能に組付けられ、前記変速ハブが前記車輪ハブに一体回転可能に連結した主軸パイプにトルク伝達可能かつ軸方向にて抜き差し可能に連結される構成としたことに特徴がある。この場合において、前記変速装置を前記変速ハブ内に組付けられる内装変速装置とし、前記入力側ハブ軸上に一体的に組付けた変速モーターユニットによって前記内装変速装置が車輪の回転速度に応じて自動的に変速操作されるように構成することも可能である。
【０００５】
【発明の作用・効果】
本発明による三輪自転車においては、回転駆動される後輪のハブ軸を、回転駆動される前記車輪ハブを回転自在かつ軸方向移動不能に支持する出力側ハブ軸と、この出力側ハブ軸にトルク伝達可能かつ軸方向にて抜き差し可能に連結される入力側ハブ軸によって構成して、出力側ハブ軸に車輪ハブと主軸パイプを組付け得るようにするとともに、入力側ハブ軸に後ギヤ板と変速装置と変速ハブを組付け得るようにしたため、入力側ハブ軸、後ギヤ板、変速装置、変速ハブ等からなる入力側ユニットと出力側ハブ軸、車輪ハブ、主軸パイプ等からなる出力側ユニットを軸方向にて抜き差し可能として容易に分離・連結可能とすることができ、これら各ユニットを小型・軽量とした上で各ユニットの保守・点検・交換を容易に行うことができる。
【０００６】
【発明の実施の形態】
以下に、本発明の一実施形態を図面に基づいて説明する。図１〜図３に示した本発明による三輪自転車においては、左方後輪ＲＷが回転駆動されるようになっていて、左方後輪ＲＷの車輪ハブ１１を回転自在かつ軸方向移動不能に支持する出力側ハブ軸１２がその左端軸部１２ａにて回り止め金具１３と平ワッシャ１４とナット１５を用いて後荷台フレーム３０の左側部に一体的（回転不能かつ軸方向移動不能）に組付けられている。また、出力側ハブ軸１２には、主軸パイプ１６が左端部１６ａにて車輪ハブ１１の右端ねじ部１１ａにねじ結合されていて、車輪ハブ１１と一体的に回転するようになっている。
【０００７】
また、出力側ハブ軸１２に対して同軸的に入力側ハブ軸２１が配置されていて、出力側ハブ軸１２の右端中空軸部１２ｂに左端中実軸部２１ａにてトルク伝達可能かつ軸方向にて抜き差し可能に連結（嵌合）されており、右端軸部２１ｂにて回り止め金具２２と平ワッシャ２３とナット２４を用いて後荷台フレーム３０の略中央部に一体的（回転不能かつ軸方向移動不能）に組付けられている。なお、出力側ハブ軸１２の右端中空軸部１２ｂは非円形断面（二面幅形状）の嵌合孔１２ｂ１を有していて、この嵌合孔１２ｂ１に入力側ハブ軸２１の左端中実軸部２１ａが密に嵌合するようになっている。
【０００８】
また、入力側ハブ軸２１には、後ギヤ板２５、変速ハブ２６、内装変速装置２７及び変速モーターユニット２８が組付けられている。後ギヤ板２５は、入力側ハブ軸２１上に回転自在かつ軸方向移動不能に組付けられていて、チェーン４１（周知のようにチェーンテンショナー４３によって張力が調整される）を介して前ギヤ板４２（周知のようにメインフレーム５０に組付けられている）に連結されており、ペダル操作力が前ギヤ板４２とチェーン４１を介して入力されるようになっている。変速ハブ２６は、入力側ハブ軸２１上に回転自在かつ軸方向移動不能に組付けられていて、後ギヤ板２５の回転に伴って回転して内装変速装置２７によって変速されるようになっており、左端に形成した凹凸嵌合部２６ａにて主軸パイプ１６の右端に形成した凹凸嵌合部１６ｂにトルク伝達可能かつ軸方向にて抜き差し可能に連結（嵌合）されている。
【０００９】
内装変速装置２７は、変速ハブ２６内に組付けられていて、変速モーターユニット２８によって変速操作されるようになっている。変速モーターユニット２８は、入力側ハブ軸２１上にロックナット２９を用いて一体的に組付けられていて、内装変速装置２７を例えば左方後輪ＲＷの回転速度（図示省略のセンサーによって検出される）に応じて自動的に変速操作するようになっている。なお、後ギヤ板２５、変速ハブ２６、内装変速装置２７及び変速モーターユニット２８等は、メインフレーム５０に組付けられるＣＰＵ及びバッテリー（図示省略）と、ハンドル５１に組付けられる操作装置（図示省略）とによって、自動モードと手動モードにて変速可能な内装変速機を構成するものであり、この内装変速機は「快テックオートＤ」の商品名で株式会社シマノから販売されている。
【００１０】
上記のように構成した本実施形態の三輪自転車においては、ペダル操作力が前ギヤ板４２とチェーン４１を介して後ギヤ板２５に入力して後ギヤ板２５が回転駆動されると、後ギヤ板２５の回転に伴って内装変速装置２７の変速段に応じた変速比にて変速ハブ２６が回転し、同回転が主軸パイプ１６を介して車輪ハブ１１に伝達されて左方後輪ＲＷが回転駆動される。
【００１１】
ところで、本実施形態の三輪自転車においては、その駆動系において回転駆動される左方後輪ＲＷのハブ軸を、車輪ハブ１１を回転自在かつ軸方向移動不能に支持する出力側ハブ軸１２と、この出力側ハブ軸１２にトルク伝達可能かつ軸方向にて抜き差し可能に連結される入力側ハブ軸２１によって構成して、出力側ハブ軸１２に車輪ハブ１１と主軸パイプ１６を組付けるとともに、入力側ハブ軸２１に後ギヤ板２５と変速ハブ２６と内装変速装置２７と変速モーターユニット２８等を組付けるようにしたため、入力側ハブ軸２１、後ギヤ板２５、変速ハブ２６、内装変速装置２７、変速モーターユニット２８等からなる入力側ユニットＡと出力側ハブ軸１２、車輪ハブ１１、主軸パイプ１６等からなる出力側ユニットＢを軸方向にて抜き差し可能として容易に分離・連結可能とすることができ、これら各ユニットＡ，Ｂを小型・軽量とした上で各ユニットＡ，Ｂの保守・点検・交換を容易に行うことができる。
【００１２】
上記実施形態においては、内装変速装置２７が変速モーターユニット２８によって変速操作されるようにした三輪自転車に本発明を実施したが、内装変速装置が手動レバーにて変速操作されるようにした三輪自転車にも本発明を同様に実施し得るとともに、内装変速装置に代えて外装変速装置を採用した三輪自転車にも本発明を同様に実施し得るものである。
【図面の簡単な説明】
【図１】  本発明による三輪自転車の一実施形態を示す要部斜視図である。
【図２】  図１に示した三輪自転車の要部を拡大して示した部分破断背面図である。
【図３】  図２に示した構成部材の分解斜視図である。
【符号の説明】
１１…車輪ハブ、１２…出力側ハブ軸、１２ａ…左端軸部、１２ｂ…右端中空軸部、１６…主軸パイプ、２１…入力側ハブ軸、２１ａ…左端中実軸部、２１ｂ…右端軸部、２５…後ギヤ板、２６…変速ハブ、２７…内装変速装置、２８…変速モーターユニット、３０…後荷台フレーム、Ａ…入力側ユニット、Ｂ…出力側ユニット、ＲＷ…左方後輪。
【図１】
0003735466.tif 000002
【図２】
0003735466.tif 000003
【図３】
0003735466.tif 000004